(57)【要約】【課題】金属イオン等をマトリックスとする金属液中における全塩素濃度、塩化物イオン濃度、次亜塩素酸濃度の定量分析方法を提供する。【解決手段】金属イオンを含有する溶液中における全塩素濃度を定量分析する方法であって、前記溶液へ第１の還元剤を添加する工程と、前記還元剤を添加した溶液へ硝酸銀を添加して沈澱を生成させ、生成した沈殿を前記溶液から分離する工程と、前記沈殿へ第２の還元剤の溶液を添加し溶解させて溶解液を得る工程と、前記溶解液中における塩化物イオン濃度を定量する工程とを有する塩素濃度の定量分析方法を提供する。【選択図】図１
2018021905.tif 000002
【特許請求の範囲】
【請求項１】
金属イオンを含有する溶液中における全塩素濃度を定量分析する方法であって、
前記溶液へ第１の還元剤を添加する工程と、
前記第１の還元剤を添加した溶液へ硝酸銀を添加して沈澱を生成させ、生成した沈殿を前記溶液から分離する工程と、
前記沈殿へ第２の還元剤の溶液を添加し溶解させて溶解液を得る工程と、
前記溶解液中における塩化物イオン濃度を定量する工程とを有することを特徴とする全塩素濃度の定量分析方法。
【請求項２】
前記第１の還元剤として、亜硫酸ナトリウム、亜硝酸ナトリウム、アスコルビン酸から選択される１種以上を用いることを特徴とする請求項１に記載の全塩素濃度の定量分析方法。
【請求項３】
金属イオンを含有する溶液中における塩化物イオン濃度を定量する方法であって、
前記金属イオンを含有する溶液へ硝酸銀を添加して沈澱を生成させ、生成した沈殿を前記溶液から分離する工程と、
前記沈殿へ第２の還元剤の溶液を添加し溶解させて溶解液を得る工程と、
前記溶解液中における塩化物イオン濃度を定量する工程とを有することを特徴とする塩化物イオン濃度の定量分析方法。
【請求項４】
前記第２の還元剤の溶液として、水素化ホウ素ナトリウム溶液を用いることを特徴とする請求項１から３のいずれかに記載の全塩素濃度または塩化物イオン濃度の定量分析方法。
【請求項５】
金属イオンを含有する溶液中における次亜塩素酸濃度を定量する方法であって、
請求項１、２、４のいずれかに記載の全塩素濃度の定量分析方法を用いて、前記金属イオンを含有する溶液中における全塩素濃度を定量する工程と、
請求項３、４のいずれかに記載の塩化物イオン濃度の定量分析方法を用いて、前記金属イオンを含有する溶液中における塩化物イオン濃度を定量する工程と、
前記定量された全塩素濃度から、前記定量された塩化物イオン濃度を減じることで、金属イオンを含有する溶液中における次亜塩素酸濃度を定量する工程とを有することを特徴とする次亜塩素酸濃度の定量分析方法。
【請求項６】
請求項１から５のいずれかに記載の次亜塩素酸濃度の定量分析方法において、
前記溶液へ前記第１の還元剤を添加する際に、前記第１の還元剤濃度を０．０１〜１００ｇ／Ｌとし、
前記第１の還元剤を添加した溶液へ前記硝酸銀を添加する際に、前記硝酸銀の添加濃度を０．１〜１００ｇ／Ｌとし、
前記沈殿へ前記第２の還元剤の溶液を添加する際に、前記第２の還元剤濃度を１〜１００ｇ／Ｌとすることを特徴とする次亜塩素酸濃度の定量分析方法。
【請求項７】
前記溶解液中における塩化物イオン濃度を、イオンクロマトグラフ法を用いて定量することを特徴とする請求項１から６のいずれかに記載の全塩素濃度、塩化物イオン濃度または次亜塩素酸濃度の定量分析方法。
【発明の詳細な説明】
【技術分野】
【０００１】
本発明は、金属イオンを含有する液中における全塩素濃度、塩化物イオン濃度、次亜塩素酸濃度の定量分析方法に関する。
【背景技術】
【０００２】
従来より、金属の製錬分野において次亜塩素酸は、高純度金属を製造する工程において工程液中の酸化還元電位を制御する為、等に用いられている。しかしながら、当該次亜塩素酸は、開放系の酸性液において次式１に示すような、塩素ガスと気−液平衡関係にあると考えられる。
２ＣｌＯ−＋４Ｈ＋⇔２ＨＣｌＯ＋２Ｈ＋⇔Ｃｌ２↑＋２Ｈ２Ｏ・・・・・式１
即ち、次亜塩素酸イオン（ＣｌＯ−）は酸性液中で次亜塩素酸（ＨＣｌＯ）として存在している。そして、当該酸性液において酸性が高くなる、または、次亜塩素酸濃度が高くなると、当該次亜塩素酸中の塩素は塩素ガス（Ｃｌ２）として気相へと移行すると考えられる。
【０００３】
この為、当該次亜塩素酸が、工程液中より塩素ガスとして系外に放出され、炉材を腐蝕したり次工程において意図しない酸化作用をおよぼして工程に不具合を生じさせたりしてしまう場合がある。
このような事態を回避し所望の酸化還元電位を得る為、工程液中の次亜塩素酸量を制御することが求められるが、その制御の為には工程液中の次亜塩素酸濃度を定量的に把握することが重要である。一方、当該工程液は、塩素ガスを回収後に精製して再利用されることが多いことから、そのバランスを把握する為に、工程液中における全塩素濃度、塩化物イオン（尚、塩化物イオンとは所謂「Ｃｌ−」のことである。）濃度を定量的に把握することが重要である。
【０００４】
ここで、工程液中の全塩素濃度、塩化物イオン濃度、次亜塩素酸濃度を把握する方法として、よう素滴定法などの酸化還元滴定法（非特許文献１）、溶液中の次亜塩素酸を還元剤で還元させてイオンクロマトグラフ法で塩化物イオンとして定量する方法、硝酸銀滴定法（非特許文献２）等がある。
【先行技術文献】
【非特許文献】
【０００５】
【非特許文献１】ＪＩＳ  Ｋ  ０１０２  ３３．３
【非特許文献２】ＪＩＳ  Ｋ  ０１０２  ３５．１
【発明の概要】
【発明が解決しようとする課題】
【０００６】
しかしながら、工程液中には次亜塩素酸、塩化物イオンの他に、各種金属イオン、臭化物イオン、硫酸イオン、硝酸イオン等が高濃度で存在しており、次亜塩素酸、塩化物イオンの定量を困難にしている。
そこで例えば、一般的に用いられるよう素滴定法（非特許文献１参照。）などの酸化還元滴定法では、金属イオン等の酸化性物質が妨害となることに加え、金属溶液色により終点判定が困難である。
一方、溶液中の次亜塩素酸を還元剤で還元して塩化物イオンとし、イオンクロマトグラフ法で当該塩化物イオンを定量する方法では、当該溶液中に高濃度で含まれる硫酸イオン、硝酸イオン等のため、測定装置に負荷がかかる上、測定におけるクロマトピークの重なりなどの影響を受け問題となる。また、当該液中に塩化物イオンが含有される場合、正の誤差要因となってしまう。
他方、硝酸銀滴定法（非特許文献２参照。）では、次亜塩素酸が正確に定量されないことに加え、溶液中に他のハロゲン化物が共存した場合、正の誤差要因となってしまう。
【０００７】
本発明は、このような状況を解決するためになされたものであり、金属イオン等をマトリックスとする金属液中における全塩素濃度、塩化物イオン濃度、次亜塩素酸濃度の定量分析方法の提供を目的とする。
【課題を解決するための手段】
【０００８】
上述の目的を達成するための本発明者らは研究を行った。
そして、まず、試料中の次亜塩素酸を、第１の還元剤を用いて塩化物イオンとする。次に、当該試料へ硝酸銀を作用させて塩化銀沈澱を生成させ、生成した塩化銀沈澱を試料液から分離する構成に想到した。当該構成によれば、試料中の塩化物イオンを、同じく試料中に存在する各種金属イオン、硫酸イオン、硝酸イオンから、容易且つ確実に分離できる。当該生成し分離された塩化銀沈澱へ、第２の還元剤の溶液を添加して塩化物イオンとすれば、イオンクロマトグラフ法で当該塩化物イオン濃度を正確かつ容易に定量することが出来ることに想到した。
【０００９】
そして、上記定量された塩化物イオン濃度として、当初の試料中に含有されていた次亜塩素酸に由来する塩素量と、同じく含有されていた塩化物イオンに由来する塩素量との合計である全塩素量に相当する塩化物イオン濃度（本発明において、［塩化物イオン濃度〈全塩素量由来〉］と記載する場合がある。）の値を得ることが出来る。
【００１０】
一方、当初の試料中へ第１の還元剤を添加すること無く、硝酸銀を作用させて塩化銀沈澱を生成させ、生成した塩化銀沈澱を試料液から分離する。当該生成し分離された塩化銀沈澱を、第２の還元剤を用いて塩化物イオンとし、イオンクロマトグラフ法で当該塩化物イオン濃度を定量する。この結果、当初の試料中に含有されていた塩化物イオンに由来する塩化物イオン濃度（本発明において、［塩化物イオン濃度〈塩化物イオン量由来〉］と記載する場合がある。）の値を得ることが出来る。
【００１１】
ここで、［塩化物イオン濃度〈全塩素量由来〉］の値から［塩化物イオン濃度〈塩化物イオン量由来〉］の値を減じれば、当初試料中における正味の次亜塩素酸濃度の値を得る
ことが出来ることに想到し、本発明を完成した。
【００１２】
即ち、上述の課題を解決する第１の発明は、
金属イオンを含有する溶液中における全塩素濃度を定量分析する方法であって、
前記溶液へ第１の還元剤を添加する工程と、
前記第１の還元剤を添加した溶液へ硝酸銀を添加して沈澱を生成させ、生成した沈殿を前記溶液から分離する工程と、
前記沈殿へ第２の還元剤の溶液を添加し溶解させて溶解液を得る工程と、
前記溶解液中における塩化物イオン濃度を定量する工程とを有することを特徴とする全塩素濃度の定量分析方法である。
第２の発明は、
前記第１の還元剤として、亜硫酸ナトリウム、亜硝酸ナトリウム、アスコルビン酸から選択される１種以上を用いることを特徴とする第１の発明に記載の全塩素濃度の定量分析方法である。
第３の発明は、
金属イオンを含有する溶液中における塩化物イオン濃度を定量する方法であって、
前記金属イオンを含有する溶液へ硝酸銀を添加して沈澱を生成させ、生成した沈殿を前記溶液から分離する工程と、
前記沈殿へ第２の還元剤の溶液を添加し溶解させて溶解液を得る工程と、
前記溶解液中における塩化物イオン濃度を定量する工程とを有することを特徴とする塩化物イオン濃度の定量分析方法である。
第４の発明は、
前記第２の還元剤の溶液として、水素化ホウ素ナトリウム溶液を用いることを特徴とする第１から第３の発明のいずれかに記載の全塩素濃度または塩化物イオン濃度の定量分析方法である。
第５の発明は、
金属イオンを含有する溶液中における次亜塩素酸濃度を定量する方法であって、
第１、第２、第４の発明のいずれかに記載の全塩素濃度の定量分析方法を用いて、前記金属イオンを含有する溶液中における全塩素濃度を定量する工程と、
第３、第４の発明のいずれかに記載の塩化物イオン濃度の定量分析方法を用いて、前記金属イオンを含有する溶液中における塩化物イオン濃度を定量する工程と、
前記定量された全塩素濃度から、前記定量された塩化物イオン濃度を減じることで、金属イオンを含有する溶液中における次亜塩素酸濃度を定量する工程とを有することを特徴とする次亜塩素酸濃度の定量分析方法である。
第６の発明は、
第１から第５の発明のいずれかに記載の次亜塩素酸濃度の定量分析方法において、
前記溶液へ前記第１の還元剤を添加する際に、前記第１の還元剤濃度を０．０１〜１００ｇ／Ｌとし、
前記第１の還元剤を添加した溶液へ前記硝酸銀を添加する際に、前記硝酸銀の添加濃度を０．１〜１００ｇ／Ｌとし、
前記沈殿へ前記第２の還元剤の溶液を添加する際に、前記第２の還元剤濃度を１〜１００ｇ／Ｌとすることを特徴とする次亜塩素酸濃度の定量分析方法である。
第７の発明は、
前記溶解液中における塩化物イオン濃度を、イオンクロマトグラフ法を用いて定量することを特徴とする第１から第６の発明のいずれかに記載の全塩素濃度、塩化物イオン濃度または次亜塩素酸濃度の定量分析方法である。
【発明の効果】
【００１３】
本発明によれば、金属イオン等をマトリックスとする金属液中における全塩素濃度、塩化物イオン濃度、次亜塩素酸濃度を容易に定量することが出来る。
【図面の簡単な説明】
【００１４】
【図１】本発明に係る全塩素濃度、塩化物イオン濃度、次亜塩素酸濃度の定量分析方法のフロー図である。
【発明を実施するための形態】
【００１５】
以下、図１を参照しながら、本発明に係る全塩素濃度、塩化物イオン濃度、次亜塩素酸濃度の定量分析方法について説明する。
（１Ａ）試料分取
本発明に係る次亜塩素酸濃度、塩化物イオン濃度および全塩素濃度の定量分析対象である、金属の製錬工程における工程液等から測定用試料を分取する。
当該試料分取の際は、当該試料中の金属分を１ｇ／Ｌ程度に調製するのに適した液量とすることが好ましい。
分取した試料を適宜、希釈して当該試料中の金属分を１ｇ／Ｌ程度に調製し、分析試料溶液とする。
当該分析試料溶液へ第１の還元剤（１１）を添加する。
当該第１の還元剤としては、亜硫酸ナトリウム、亜硝酸ナトリウム、アスコルビン酸、等を挙げることが出来る。当該第１の還元剤は、分析試料溶液に含有される次亜塩素酸を塩化物イオンに還元するものである。
当該反応を次式２〜４に示す。
ＨＣｌＯ＋２Ｎａ＋＋ＳＯ３２−⇒Ｈ＋＋Ｃｌ−＋２Ｎａ＋＋ＳＯ４２−・・・・式２
ＨＣｌＯ＋Ｎａ＋＋ＮＯ２−⇒Ｈ＋＋Ｃｌ−＋Ｎａ＋＋ＮＯ３−・・・・・式３
２ＨＣｌＯ＋ＡＳＡ⇒２Ｈ＋＋２Ｃｌ−＋ＤＨＡ・・・・・式４
但し、ＡＳＡ：アスコルビン酸、ＤＨＡ：デヒドロアスコルビン酸、である。
【００１６】
式２〜４を用いて示した次亜塩素酸と第１の還元剤（亜硫酸ナトリウム、亜硝酸ナトリウム、アスコルビン酸（ＡＳＡ））との反応において、第１の還元剤の妥当と考えられる添加量について検討した。
まず、工程中に含まれる次亜塩素酸濃度は０．０１〜０．０９ｇ／Ｌと考えられる。そこで、分析時の試料分取量を、例えば５０ｍＬとした場合、第１の還元剤の添加濃度を０．０１〜１００ｇ／Ｌとすることから、第１の還元剤の添加量は０．１〜５０ｍＬとする。好ましくは、濃度１０ｇ／Ｌの第１の還元剤５ｍＬ程度（試料分取量に対し、１／１０量程度）を添加する。
【００１７】
（２Ａ）撹拌
第１の還元剤（１１）を添加した分析試料溶液を十分に撹拌して、含有される次亜塩素酸を塩化物イオンに還元する。
当該撹拌の際、分析試料溶液へ臭化カリウム（２２）、硝酸（２４）を添加し、さらに硝酸銀溶液（２３）を添加する。
【００１８】
臭化カリウム（２２）添加の目的は、分析試料溶液中における臭化物イオン濃度を増加させることで、後述する塩化物イオンと銀イオンとの反応による塩化銀の生成を進める方向へ、化学平衡をもっていくためである。
硝酸（２４）添加の目的は、分析試料溶液中における不溶物を溶解させ、溶液の性質を安定化するためである。
硝酸銀溶液（２３）添加の目的は、分析試料溶液中における塩化物イオンと反応させて、塩化銀の沈殿を生成させる為である。
【００１９】
分析試料溶液へ、臭化カリウム（２２）、硝酸（２４）および硝酸銀溶液（２３）を添加したら、さらに撹拌を継続して終了する。
【００２０】
（３Ａ）静置
臭化カリウム（２２）、硝酸（２４）および硝酸銀溶液（２３）を添加し、撹拌した分析試料溶液を、３０分間程度暗所にて静置し、感光性を有する塩化銀の沈殿を熟成させる。
当該反応を次式５に示す。
Ｃｌ−＋２Ａｇ＋＋２ＮＯ３−＋Ｈ＋＋Ｍｅ＋＋Ｂｒ−＋Ｋ＋⇔ＡｇＣｌ↓＋ＡｇＢｒ↓＋Ｍｅ＋＋２ＮＯ３−＋Ｋ＋＋Ｈ＋・・・・・式５
但し、Ｍｅ＋：金属陽イオン、である。
【００２１】
式５は、分析試料溶液中における塩化物イオンを塩化銀で沈殿させることにより、妨害成分（金属イオン：〈Ｍｅ＋〉、硫酸イオン、硝酸イオン等）から、固液分離させる反応である。一方、臭化カリウムは共沈剤としての目的で添加している。
ここで、硝酸銀溶液、臭化カリウム溶液、硝酸について、好ましい濃度と添加量について検討した。
その結果、硝酸銀濃度を０．１〜１００ｇ／Ｌとするのが良いことが判明した。好ましくは、濃度１０ｇ／Ｌの硝酸銀溶液を１０ｍＬ程度添加する。また、臭化カリウムの添加量は、ターゲットである塩化物イオンの１０倍量程度あれば良い。
【００２２】
（４Ａ）ろ過
塩化銀の沈殿が熟成した分析試料溶液をろ過し、生成した塩化銀の沈殿を採取する。
【００２３】
（５Ａ）洗浄
採取した塩化銀の沈殿を洗浄する。
【００２４】
（６Ａ）還元・溶解
洗浄した塩化銀の沈殿へ、純水（４１）と第２の還元剤の溶液（４２）とを加えて、塩化銀沈殿を溶解し、塩化物イオンと、銀イオンとの溶解液を得る。このときの第２の還元剤の溶液（４２）としては水素化ホウ素ナトリウム溶液を用いることが好ましい。
塩化銀の還元を進めて溶解液を得るため、超音波による撹拌を行うことが好ましい。
当該反応を次式６に示す。
ＡｇＣｌ＋ＡｇＢｒ＋（ＢＨ４）−＋Ｎａ＋＋４Ｈ２Ｏ⇒２Ａｇ＋Ｃｌ−＋Ｂｒ−＋４Ｈ＋＋２Ｈ２↑＋Ｎａ＋＋Ｂ（ＯＨ）４−・・・・・式６
【００２５】
式６を用いて示した塩化銀と水素化ホウ素ナトリウム溶液との反応から、生成した塩化銀への、第２の還元剤の好ましい添加方法について検討した。
その結果、第２の還元剤の溶液濃度は１〜１００ｇ／Ｌで、添加量は０．１〜１００ｍｌとするのが良いことが判明した。好ましくは、濃度１０ｇ／Ｌの水素化ホウ素ナトリウム溶液１ｍＬ程度を添加する。
【００２６】
（７Ａ）ろ過
得られた溶解液をろ過し、不溶成分を除去する。
【００２７】
（８Ａ）測定
不溶成分を除去した溶解液をイオンクロマトグラフ法により定量し、当該溶解液中における塩化物イオンの量を定量し、［塩化物イオン濃度〈全塩素量由来〉］を算定する。
【００２８】
（１Ｂ）試料分取〜（７Ｂ）ろ過
上述した（１Ａ）と（２Ａ）との間において行った第１の還元剤（１１）の添加を行わない以外は、（１Ａ）〜（７Ａ）と同様の操作を行う。
【００２９】
（８Ｂ）測定
不溶成分を除去した溶解液をイオンクロマトグラフ法により定量し、当該溶解液中における塩化物イオンの量を定量し、［塩化物イオン濃度〈塩化物イオン量由来〉］を算定する。
【００３０】
（９Ａ）算定
上述した［塩化物イオン濃度〈全塩素量由来〉］より、当初の測定用試料における全塩素濃度を算定する。
上述した［塩化物イオン濃度〈塩化物イオン量由来〉］より、当初の測定用試料における塩化物イオン量を算定する。
算定された全塩素濃度から算定された塩化物イオン濃度を減じ、当初の測定用試料における次亜塩素酸濃度を算定する。
【実施例】
【００３１】
以下、実施例を参照しながら、本発明を具体的に説明する。
（実施例１）
ニッケル１ｇ／Ｌ硫酸溶液へ所定量の次亜塩素酸ナトリウムを添加し、実施例１に係る測定用試料とした。
上述した図１に示した（１Ａ）〜（８Ａ）、（１Ｂ）〜（８Ｂ）、９Ａの操作を行って、当初の測定用試料における次亜塩素酸量を算定した。そして、当初のニッケル硫酸溶液へ添加した次亜塩素酸ナトリウムの添加量と次亜塩素酸量とを比較した。すると、添加した次亜塩素酸ナトリウムの添加量のうち９６％が定量されていることが判明した。この結果を表１に示す。
【００３２】
（比較例１）
実施例１に記載した測定用試料に対し、非特許文献２に記載の硝酸銀滴定法により、次亜塩素酸量を算定した。
当該滴定結果から、当初の測定用試料における次亜塩素酸量を算定した。そして、当初のニッケル硫酸溶液へ添加した次亜塩素酸ナトリウムの添加量と次亜塩素酸量とを比較した。すると、添加した次亜塩素酸ナトリウムの添加量のうち４５％が定量されていることが判明した。この結果を表１に示す。
【００３３】
【表１】
2018021905.tif 000003
【００３４】
（まとめ）
表１に示す結果より、本発明によれば、当初の測定用試料における次亜塩素酸量を、容易且つ高い精度で定量出来ることが判明した。
これに対し、非特許文献２に記載の硝酸銀滴定法では、添加回収率が低値を示しており、次亜塩素酸の一部のみしか定量していないことが判明した。即ち、各種のハロゲン化物イオンを含まない測定用試料であっても、従来の技術に係る硝酸銀滴定法では次亜塩素酸濃度の正確な定量が出来ないことが判明した。
【００３５】
（実施例２）
ニッケル１ｇ／Ｌ硫酸溶液（但し、Ｎｉ２＋：１０００ｍｇ／Ｌ、ＳＯ４２−：１６００ｍｇ／Ｌ、Ｃｌ−：２．４ｍｇ／Ｌ含有）へ、４種類の添加量にて次亜塩素酸ナトリウムを添加し、実施例２に係る測定用試料１〜４を調製した。当該測定用試料１〜４のｐＨ、酸化還元電位、電気伝導度を表２に示す。
【００３６】
上記図１を用いて説明した（１Ａ）〜（８Ａ）、（１Ｂ）〜（８Ｂ）、９Ａの操作を行って、当初の測定用試料１〜４における全塩素濃度、塩化物イオン濃度を定量し、次亜塩素酸量を算定した。この結果を表３に示す。
【００３７】
（比較例２）
実施例２に係る測定用試料１〜４を用い、非特許文献１に記載のよう素滴定法により、次亜塩素酸量の定量を試みた。しかしながら、液が着色しているために終点が判定できず、当該よう素滴定法では定量が出来なかった。この結果を表３に示す。
【００３８】
【表２】
2018021905.tif 000004
【表３】
2018021905.tif 000005
【００３９】
（実施例３）
ニッケル１ｇ／Ｌ硫酸溶液（但し、Ｎｉ２＋：１０００ｍｇ／Ｌ、ＳＯ４２−：１６００ｍｇ／Ｌ、Ｃｌ−：２．４ｍｇ／Ｌ含有）へ、４種類の添加量にて次亜塩素酸ナトリウムを添加し、実施例２に係る測定用試料５〜８を調製し、さらに測定用試料５へはＢｒ−：２０ｍｇ／Ｌ、測定用試料６へはＢｒ−：２０ｍｇ／Ｌ、測定用試料７へはＢｒ−：８０ｍｇ／Ｌ、測定用試料８へはＢｒ−：１２０ｍｇ／Ｌを添加した。
【００４０】
上記図１を用いて説明した（１Ａ）〜（８Ａ）、（１Ｂ）〜（８Ｂ）、９Ａの操作を行って、当初の測定用試料１〜４における全塩素濃度、塩化物イオン濃度を定量し、次亜塩素酸量を算定した。この結果を表４に示す。
【００４１】
（比較例３）
実施例３に係る測定用試料５〜８を用い、非特許文献２に記載の硝酸銀滴定法により、次亜塩素酸量の定量を行った。この結果を表４に示す。
【００４２】
（比較例４）
実施例３に係る測定用試料５〜８を用い、上述した図１に示した（１Ａ）の操作のみを行って、（８Ａ）のイオンクロマトグラフ法による当初の測定用試料１〜４における次亜塩素酸量の定量を試みた。しかしながら、ＳＯ４２−イオンが多量に含まれていたため、測定においてベースラインが下がらず、塩化物イオンのピークを検出できなかった。この結果を表４に示す。
【００４３】
【表４】
2018021905.tif 000006
【００４４】
（まとめ）
表４に示す結果より、本発明によれば、当初の測定用試料における次亜塩素酸量を、容易、且つ高い精度で定量出来ることが判明した。
これに対し、比較例３に係る硝酸銀滴定法では、測定用試料に臭化物イオンが含まれるため、高濃度側にシフトした値が示されることが判明した。
【図１】
2018021905.tif 000007